(57)【特許請求の範囲】
【請求項１】
干渉協調方法において、
マクロ基地局が、予め設定されたサブフレーム情報により、現在のサブフレームが、ダウンリンク制御チャンネルの信号を、信号零空間（null  space）がピコセルに向かい、且つ／或いは信号のハイパワー方向又は特性値空間がマクロセルユーザー機器に向かうようプレコードするのに用いられるサブフレームであるかを判定するステップと、
判定結果がＹＥＳである場合、予め取得したプレコードマトリックスを利用して、制御対象であるマクロセルユーザー機器のダウンリンク制御チャンネルの信号をプレコードして、プレコードにより形成された信号零空間がピコセルに向かうようにし、且つ／或いは信号のハイパワー方向又は特性値空間が前記マクロセルユーザー機器に向かうようにするステップを含む干渉協調方法。
【請求項２】
マクロ基地局が、制御対象であるマクロセルユーザー機器のダウンリンク制御チャンネルの信号をプレコードする前に、
マクロ基地局が、ピコセルのチャンネル情報により、或いは前記ピコセルのチャンネル情報及びマクロセルユーザー機器のチャンネル情報により、プレコードマトリックスを生成するステップと、
前記プレコードマトリックスのマトリックス要素情報、又は前記プレコードマトリックスのマトリックス要素情報とマトリックス索引との間の対応関係を記憶するステップとをさらに実行する請求項１に記載の干渉協調方法。
【請求項３】
マクロセルユーザー機器のダウンリンク制御チャンネルの信号を、信号零空間がピコセルに向かうようにし、且つ／或いは信号のハイパワー方向又は特性値空間がマクロセルユーザー機器に向かうようにプレコードすることを指示する前記サブフレーム情報を予め設定するステップをさらに含む請求項１に記載の干渉協調方法。
【請求項４】
少なくとも一個のマクロセルユーザー機器のプレコードマトリックスと、他のマクロセルユーザー機器のプレコードマトリックスとが異なるか、或いは
一個のマクロセルユーザー機器において、異なる状況により異なるプレコードマトリックスを形成するか、或いは
少なくとも一個のサブフレームに対応するプレコードマトリックスと、他のサブフレームに対応するプレコードマトリックスとが異なる請求項１に記載の干渉協調方法。
【請求項５】
前記プレコードマトリックスのマトリックス要素情報、又は前記マトリックス索引を対応するマクロセルユーザー機器に通知するステップをさらに含む請求項２に記載の干渉協調方法。
【請求項６】
前記予め設定されたサブフレーム情報を対応するマクロセルユーザー機器に通知するステップをさらに含む請求項３に記載の干渉協調方法。
【請求項７】
干渉協調方法において、
マクロセルユーザー機器がダウンリンク制御チャンネルの信号を検出し、マクロ基地局が前記ダウンリンク制御チャンネルの信号をプレコードして、プレコードにより形成された信号零空間がピコセルに向かうようにし、且つ／或いは信号のハイパワー方向又は特性値空間がマクロセルユーザー機器に向かうようにするステップと、
前記マクロセルユーザー機器がチャンネルの見積もり結果、又は予め取得したプレコードマトリックスを含む情報により、前記信号を復号するステップとを含み、
前記情報は、マクロセルユーザー機器のダウンリンク制御チャンネルの信号をプレコードして、プレコードにより形成された信号零空間がピコセルに向かうようにし、且つ／或いは信号のハイパワー方向又は特性値空間がマクロセルユーザー機器に向かうように指示するサブフレーム情報である干渉協調方法。
【請求項８】
前記マクロ基地局が通知する前記情報を受信するステップをさらに含む請求項７に記載の干渉協調方法。
【請求項９】
予め取得したプレコードマトリックスを含む情報により前記信号を復号する前に、
前記予め設定されたサブフレーム情報により、前記情報により前記ダウンリンク制御チャンネルの信号を復号するかどうかを決定するステップをさらに含む請求項７に記載の干渉協調方法。
【請求項１０】
マクロ基地局において、
予め設定されたサブフレーム情報により、現在のサブフレームが、ダウンリンク制御チャンネルの信号を、信号零空間がピコセルに向かい、且つ／或いは信号のハイパワー方向又は特性値空間がマクロセルユーザー機器に向かうようプレコードするのに用いられるサブフレームであるかを判定する判定ユニットと、
前記判定ユニットの判定結果がＹＥＳである場合、予め取得したプレコードマトリックスを利用して、制御対象であるマクロセルユーザー機器のダウンリンク制御チャンネルの信号をプレコードする第一信号処理ユニットと、
プレコードされた信号を送信して、プレコードにより形成された信号零空間がピコセルに向かうようにし、且つ／或いは信号のハイパワー方向又は特性値空間がマクロセルユーザー機器に向かうようにするアンテナユニットとを含むマクロ基地局。
【請求項１１】
前記マクロ基地局は、
前記ピコセルのチャンネル情報により、或いは前記ピコセルのチャンネル情報及びマクロセルユーザー機器のチャンネル情報により、プレコードマトリックスを生成するマトリックス生成ユニットと、
前記プレコードマトリックスのマトリックス要素情報、又は前記プレコードマトリックスのマトリックス要素情報とマトリックス索引との間の対応関係を記憶する記憶ユニットとをさらに含む請求項１０に記載のマクロ基地局。
【請求項１２】
前記マクロ基地局は、
マクロセルユーザー機器のダウンリンク制御チャンネルの信号をプレコードして、プレコードにより形成された信号零空間がピコセルに向かうようにし、且つ／或いは信号のハイパワー方向又は特性値空間がマクロセルユーザー機器に向かうように指示する前記サブフレーム情報を予め設定する情報設定ユニットをさらに含む請求項１０に記載のマクロ基地局。
【請求項１３】
少なくとも一個のマクロセルユーザー機器のプレコードマトリックスと、他のマクロセルユーザー機器のプレコードマトリックスとが異なるか、或いは一個のマクロセルユーザー機器において、異なる状況により異なるプレコードマトリックスを形成するか、或いは少なくとも一個のサブフレームに対応するプレコードマトリックスと、他のサブフレームに対応するプレコードマトリックスとが異なる請求項１０に記載のマクロ基地局。
【請求項１４】
ユーザー機器において、
ダウンリンク制御チャンネルの信号を検出し、且つマクロ基地局が前記ダウンリンク制御チャンネルの信号をプレコードして、プレコードにより形成された信号零空間がピコセルに向かうようにし、且つ／或いは信号のハイパワー方向又は特性値空間がマクロセルユーザー機器に向かうようにする信号検出ユニットと、
チャンネルの見積もり結果、又は予め取得したプレコードマトリックスを含む情報により、前記信号検出ユニットが検出した信号を復号する第二信号処理ユニットとを含み、
前記情報は、マクロセルユーザー機器のダウンリンク制御チャンネルの信号をプレコードして、プレコードにより形成された信号零空間がピコセルに向かうようにし、且つ／或いは信号のハイパワー方向又は特性値空間がマクロセルユーザー機器に向かうように指示するサブフレーム情報であるユーザー機器。
【請求項１５】
前記予め設定されたサブフレーム情報により、前記情報によってダウンリンク制御チャンネルの信号を復号するかどうかを決定する第二決定ユニットをさらに含む請求項１４に記載のユーザー機器。
【請求項１６】
コンピュータ読取可能なプログラムであって、
前記プログラムは、コンピュータがマクロ基地局において請求項１〜６のうちいずれか１項に記載の干渉協調方法を実行するようにするコンピュータ読取可能なプログラム。
【請求項１７】
コンピュータ読取可能なプログラムが記憶されている記憶媒体であって、
前記コンピュータ読取可能なプログラムは、コンピュータがマクロ基地局において請求項１〜６のうちいずれか１項に記載の干渉協調方法を実行するようにするコンピュータ読取可能なプログラムが記憶されている記憶媒体。
【請求項１８】
コンピュータ読取可能なプログラムであって、
前記プログラムは、コンピュータがユーザー機器において請求項７〜９のうちいずれか１項に記載の干渉協調方法を実行するようにするコンピュータ読取可能なプログラム。
【請求項１９】
コンピュータ読取可能なプログラムが記憶されている記憶媒体であって、
前記コンピュータ読取可能なプログラムは、コンピュータがユーザー機器において請求項７〜９のうちいずれか１項に記載の干渉協調方法を実行するようにするコンピュータ読取可能なプログラムが記憶されている記憶媒体。
【発明の詳細な説明】
【技術分野】
【０００１】
本発明は、通信技術に関し、特に干渉協調方法、基地局及びユーザー機器に関する。
【背景技術】
【０００２】
エルティーイーアドバンス（ＬＴＥ−Ａ、Long  term  Evolution  Advanced）のヘテロジニアスネットワーク（Heterogeneous  Network）システムは、マクロセル（Macro  Cell）、フェムトセル（Femto  Cell）、ピコセル（Pico  Cell）、リモートラジオヘッド（ＲＲＨ、Remote  Radio  Head）、リレー（Relay）から構成されている。前記システムは、新しい無線ノード（例えば、ホーム基地局Home  eNodeB、ピコ基地局Pico  eNodeB、ＲＲＨ）をさらに配置することにより、システムの容量を向上させ、特殊な区域のユーザーのためによりよいサービスを提供するとともに、システムの性能を最適化することができる。しかし、新配置したノードは、以前に配置した元ユーザー機器に干渉を与えるとともに、カバレッジホールが発生してしまう。
【０００３】
図１は、典型的なヘテロジニアスネットワークシステムを示す図である。図１に示す通り、典型的なMacro  Cell＋Pico  Cellのヘテロジニアスネットワークにおいて、ピコセルＢ辺縁でピコセルＢのサービスを受信するユーザー機器（ＵＥ、User  Equipment）は、マクロセルＡのダウンリンク信号の干渉（即ち、図面の点線が示す通りである）を受ける。
【０００４】
現在のＬＴＥ−Ａヘテロジニアスネットワークシステムにおいて、ダウンリンク制御チャンネルＰＤＣＣＨが放送方法で信号を送信するので、ピコセルPico  Cellが受けるマクロセルMacro  Cellの物理的ダウンリンク制御チャンネルＰＤＣＣＨの干渉は方向性がない。ヘテロジニアスネットワークシステム中のダウンリンク干渉を解消するため、ＬＴＥ−Ａヘテロジニアスネットワークシステムにおいてオールモストブランクサブフレーム（ＡＢＳ、Almost  blank  subframe）方法を用いる。Macro  Cellにおいてあるサブフレームを選択してＡＢＳとし、前記ＡＢＳサブフレームは、いずれかのユーザー機器ＵＥがデータを送信するように制御する制御指令も送信せず、いずれかのユーザー機器ＵＥに対応するデータも送信しない。ＡＢＳサブフレームに対応する時間位置において、Pico  Cellは、前記Pico  Cell中のユーザー機器ＵＥがデータを送信するように制御する制御指令と対応するデータとを送信して、マクロセル（Macro  Cell）からの干渉を抑制することができる。
【０００５】
本発明を実施する過程において本発明の発明者は、従来の技術が有している以下の問題を見つけた。即ち、ＡＢＳ方法により干渉を協調する場合、Macro  Cellのスループットが下がる問題と、資源を有効に利用することができない問題とがあるが、これらの問題を解決する方法は、現在まだ存在しない。
【０００６】
上記における従来技術の説明は、ただ本発明の技術をより詳細に説明し、且つ当該技術分野の技術者に本発明の内容を理解させるためである。前記従来技術を本発明の背景技術として説明したことにより、当該技術分野の技術者が前記従来技術を周知していると理解してはいけない。
【発明の概要】
【発明が解決しようとする課題】
【０００７】
本発明の実施例の目的は、前マクロセル（Macro  Cell）の物理的ダウンリンク制御チャンネルＰＤＣＣＨがピコセルPico  Cellに与える干渉を削除し、マクロセルの性能にも影響を与えず、且つ従来の技術の問題を解決することができる干渉協調方法、マクロ基地局、ユーザー機器を提供することにある。
【課題を解決するための手段】
【０００８】
本発明の実施例において干渉協調方法を提供する。前記方法は、マクロ基地局が予め獲得したプレコードマトリックスを利用して、制御対象であるマクロセルユーザー機器のダウンリンク制御チャンネルの信号をプレコードして、プレコードにより形成された信号零空間がピコセルに向かうようにし、且つ／或いは信号のハイパワー方向／特性値空間がマクロセルユーザー機器に向かうようにするステップを含む。
【０００９】
本発明の他の実施例において干渉協調方法を提供する。前記方法は、マクロセルユーザー機器がダウンリンク制御チャンネルの信号を検出し、且つマクロ基地局が前記ダウンリンク制御チャンネルの信号をプレコードして、プレコードにより形成された信号零空間がピコセルに向かうようにし、且つ／或いは信号のハイパワー方向／特性値空間がマクロセルユーザー機器に向かうようにするステップと、前記マクロセルユーザー機器がチャンネルの見積もり結果、又は予め獲得したプレコードマトリックスを含む情報により、前記信号を復号するステップと、を含む。
【００１０】
本発明の他の実施例においてマクロ基地局を提供する。前記マクロ基地局は、予め獲得したプレコードマトリックスを利用して、制御対象であるマクロセルユーザー機器のダウンリンク制御チャンネルの信号をプレコードする第一信号処理ユニットと、プレコードされた信号を送信して、プレコードにより形成された信号零空間がピコセルに向かうようにし、且つ／或いは信号のハイパワー方向又は特性値空間がマクロセルユーザー機器に向かうようにするアンテナユニットとを含む。
【００１１】
本発明の他の実施例においてユーザー機器を提供する。前記ユーザー機器は、ダウンリンク制御チャンネルの信号を検出し、且つマクロ基地局が前記ダウンリンク制御チャンネルの信号をプレコードして、プレコードにより形成された信号零空間がピコセルに向かうようにし、且つ／或いは信号のハイパワー方向／特性値空間がマクロセルユーザー機器に向かうようにする信号検出ユニットと、チャンネルの見積もり結果、又は予め獲得したプレコードマトリックスを含む様々な情報により、前記信号検出ユニットが検出した信号を復号する第二信号処理ユニットと、を含む。
【００１２】
本発明の他の実施例においてコンピュータ読取可能なプログラムを提供する。マクロ基地局において前記プログラムを実行する時、前記プログラムは、コンピュータがマクロ基地局において前記干渉協調方法を実施するようにする。
【００１３】
本発明の他の実施例においてコンピュータ読取可能なプログラムが記憶されている記憶媒体を提供する。前記コンピュータ読取可能なプログラムは、コンピュータがマクロ基地局において前記干渉協調方法を実施するようにする。
【００１４】
本発明の他の実施例においてコンピュータ読取可能なプログラムを提供する。マクロ基地局において前記プログラムを実行する時、前記プログラムは、コンピュータがユーザー機器において前記干渉協調方法を実施するようにする。
【００１５】
本発明の他の実施例においてコンピュータ読取可能なプログラムが記憶されている記憶媒体を提供する。前記コンピュータ読取可能なプログラムは、コンピュータがユーザー機器において前記干渉協調方法を実施するようにする。
【発明の効果】
【００１６】
本発明の実施例による発明の効果は、以下の通りである。即ち、ダウンリンク制御チャンネルの信号をプレコードして、プレコードにより形成された信号零空間（null  space）がピコセルに向かうようにする。これにより、マクロセル（Macro  Cell）の物理的ダウンリンク制御チャンネルＰＤＣＣＨがピコセルPico  Cellに与える干渉を削除し、マクロセルの性能にも影響を与えず、且つ従来の技術の問題を解決することができる。また、信号のハイパワー方向／特性値空間がマクロセルユーザー機器に向かうようにして、マクロセルユーザー機器の受信機能を向上させるとともに、マクロ基地局がピコセルに与える干渉をさらに減少することができる。
【００１７】
後述する内容と図面を参照しながら詳細に説明する本発明の特定実施例は、本発明が採用することができる原理を示すためのものである。しかし、本発明の実施方式が後述する実施例にのみ限定されるものではない。本発明の実施方式は、本発明の特許請求の範囲の要旨を逸脱しない範囲内において行われる様々な設計変更例も含んでいる。
【００１８】
実施方式に記載／公開されている特徴は、同様又は類似する方法により、他の一種又は多種の実施方式に用いるか、他の実施方式の特徴と組み合わせて用いるか、或いは他の実施例の特徴の代わりに用いることができる。
【００１９】
本文において用いる用語「含む／具備する」などは、特徴、部品、ステップ、又はモジュールが存在することを示すが、他の一個或いは複数個の特徴、部品、ステップ、又はモジュールがさらに存在／付加することを排除しない。
【図面の簡単な説明】
【００２０】
以下、図面を参照しながら詳細に説明する内容により、本発明の実施例の詳しい内容をより容易に理解することができる。
【図１】典型的なヘテロジニアスネットワークシステムを示す図である。
【図２】本発明の実施例１においてマクロ基地局側に相関する情報を配置する方法を示す流れ図である。
【図３】本発明の第２実施に係る干渉協調方法を示す流れ図である。
【図４】本発明の第３実施に係る干渉協調方法を示す流れ図である。
【図５】本発明の第４実施に係る干渉協調方法を示す流れ図である。
【図６】本発明の第５実施に係るマクロ基地局を示す流れ図である。
【図７】本発明の第６実施に係るマクロ基地局を示す流れ図である。
【図８】本発明の第７実施に係るユーザー機器を示す流れ図である。
【発明を実施するための形態】
【００２１】
図面を参照しながら説明する以下の明細書により、本発明の実施例の様々な特徴をより詳細に理解することができる。後述する実施例は、本発明の例示的実施例であるが、本発明がこれらの実施例に限定されるものではない。本技術分野の技術者に本発明の原理と実施方式を容易に理解させるため、本発明の実施例においてエルティーイーアドバンス（ＬＴＥ−Ａ、Long−term−Evolution−Advanced）のヘテロジニアスネットワーク中の干渉協調を例として説明する。しかし、本発明は、前記システムにのみ限定されるものではなく、セルの間の干渉協調がある他のシステムにも応用することができる。
【００２２】
実施例１
本発明の実施例において干渉協調方法を提供する。前記方法は、マクロ基地局が予め獲得したプレコードマトリックスを利用して、制御対象であるマクロセルユーザー機器のダウンリンク制御チャンネルの信号をプレコードして、プレコードにより形成された零空間（null  space）がピコセルに向かうようにし、且つ／或いは信号のハイパワー方向／特性値空間がマクロセルユーザー機器に向かうようにする。
【００２３】
本実施例において、前記ＰＤＣＣＨの信号をプレコードする時、プレコードにより形成された零空間（null  space）がピコセルに向かうようにするか、或いは信号のハイパワー方向、例えば特性値空間がマクロセルユーザー機器に向かうようにすることができる。
【００２４】
前記ＰＤＣＣＨの信号をプレコードする時、プレコードにより形成された零空間（null  space）がピコセルに向かうようにするとともに、信号の特性値空間がマクロセルユーザー機器に向かうようにすることもできる。
【００２５】
現在のダウンリンク制御チャンネルＰＤＣＣＨが放送方法により信号を送信するので、ピコセル（Pico  Cell）が受けるマクロセル（Macro  Cell）の物理的ダウンリンク制御チャンネルＰＤＣＣＨの干渉は方向性がない。前記ダウンリンク干渉を削除するため、本発明の実施例においては、ダウンリンク制御チャンネルＰＤＣＣＨの信号をプレコードして、プレコードにより形成された信号零空間（null  space）がピコセルに向かうようにする。これにより、マクロセル（Macro  Cell）の物理的ダウンリンク制御チャンネルＰＤＣＣＨがピコセルPico  Cellに与える干渉を削除し、マクロセルの性能にも影響を与えず、且つ従来の技術の問題を解決することができる。また、前記プレコード処理により、信号のハイパワー方向、例えば特性値空間がマクロセルユーザー機器に向かうようにして、マクロセルユーザー機器の受信機能を向上させるとともに、マクロ基地局がピコセルに与える干渉をさらに減少することができる。本実施例において、マクロ基地局が予め獲得したプレコードマトリックスにより、制御対象であるマクロセルユーザー機器のダウンリンク制御チャンネルの信号をプレコードする時、マクロセルは、ダウンリンク制御チャンネルの信号にプレコードマトリックスを乗じて、プレコードにより形成された零空間がピコセルに向かうようにし、且つ／或いは信号のハイパワー方向／特性値空間がマクロセルユーザー機器に向かうようにすることができる。
【００２６】
本実施例においては、従来の技術中のプレコード処理を用いて、ＰＤＣＣＨの信号をプレコードして、信号零空間がピコセルに向かうようにし、且つ／或いは信号の特性値空間がマクロセルユーザー機器に向かうようにすることができる。
【００２７】
本実施例において、以下のような方法によりプレコードマトリックスを生成することができる。即ち、マクロ基地局がピコセルのチャンネル信号、又はピコセルのチャンネル信号とマクロセルユーザー機器のチャンネル信号により、プレコードマトリックスを生成する。即ち、前記チャンネル信号中の位置情報又は位相情報により、プレコードマトリックスを生成する。以下、様々なアンテナの配置方法、様々なプレコードマトリックスの生成方法ついて、例を挙げながら説明する。
【００２８】
例１において、マクロ基地局は、ピコセル（Pico  Cell）からマクロ基地局（Macro  Cell  ｅＮＢ）へのチャンネル情報に基づいて、或いはピコセルからマクロ基地局へのチャンネル情報及びマクロセルユーザー機器（Macro  Cell  ＵＥ）からマクロ基地局へのチャンネル情報に基づいて、マクロセル（Macro  Cell）のＰＤＣＣＨをプレコードしてマクロ基地局側にプレコードマトリックスを生成する。前記チャンネル情報は、ピコセルがマクロ基地局に相対する位置情報、マクロセルユーザー機器がマクロ基地局に相対する位置情報、又はマクロセルユーザー機器が測定してマクロ基地局にフィードバックしたチャンネル情報に基づいて得ることができる。
【００２９】
例２のアンテナ配列において、マクロ基地局は、ピコセルの位置、又はピコセルの位置とマクロセルユーザー機器の位置と、所定の規則により獲得した各行列要素の幅と位相とに基づいて、波束成形のアレーファクタ（即ち、プレコードマトリックスに相当する）を生成して、ゼロ輻射パワーの「零点」（又は「ゼロリミッツ」と言う）がピコセルに向かうとともに、最大輻射パワー方向のローブがマクロセルユーザー機器に向かうようにする。前記アンテナを配列することも、一種のプレコード処理方法に属する。前記方法により形成される零点、即ち零空間は、ピコセルに向かう。従って、アンテナにより形成された波束の零空間（null  space）がピコセルに向かうようにして、マクロセル（Macro  Cell）の物理的ダウンリンク制御チャンネルＰＤＣＣＨがピコセルPico  Cellに与える干渉を削除することができる。且つ、前記プレコード処理方法により、ハイパワーのローブがマクロセルユーザー機器に向かうようにして、マクロセルがピコセルに与える干渉を削除するとともに、マクロセルユーザー機器の受信機能を向上させることができる。
【００３０】
アンテナ配列は、複数個の「零点」を同時に生成することができる。例えば、Ｍ元のアンテナ配列において、Ｍ−２方向上に「零点」を形成して、Ｍ−２個のピコセルの干渉を同時に避けることができる。前記Ｍは、自然数である。実際のシステムにおいて、零点位置にパワー漏れが多少存在するので、マクロセルがピコセルに与える干渉が依然として存在するが、この干渉が弱いので、無視してもよい。
【００３１】
例３において、関連性が低いアンテナの配置について説明する。例えば、ポラリゼーションアンテナは、マクロセルユーザー機器がフィードバックしたマクロセルユーザーからマクロ基地局へのチャンネル情報と、マクロセルとピコセルとの間の相対的な位置情報とにより、対応するプレコードマトリックスを選択して、プレコードマトリックスがマクロ基地局からピコセルユーザー機器（Pico  Cell  ＵＥ）へのチャンネルに直交するとともに、マクロ基地局（Macro  Cell  ｅＮＢ）からピコセルユーザー機器（Pico  Cell  ＵＥ）へのチャンネルにマッチングするようにする。
【００３２】
前述したプレコードマトリックスの生成方法は、本発明の一部分の実施例に過ぎないので、前記方法と異なる他の生成方法を用いてもよいが、ここでは一つ一つ説明しない。前記プレコードマトリックスによりＰＤＣＣＨをプレコードして、プレコードにより形成された信号零空間がピコセルに向かうようにするので、マクロセルがピコセルに与える干渉を削除し、且つマクロセルの機能に影響を与えないいずれかの方法を用いることができる。また、信号のハイパワー方向がマクロセルユーザー機器に向かうようにして、マクロセルがピコセルに与える干渉を削除するとともに、マクロセルユーザー機器の受信機能を向上させることもできる。
【００３３】
本発明の実施例において、前記プレコードマトリックスを生成した後、マクロ基地局が前記プレコードマトリックスのマトリックス要素情報を記憶する。ユーザー機器は、前記マトリックス要素情報により対応するマトリックスを生成することができる。前記マトリックス要素情報は、マトリックス中の各要素の数値を含むか、或いはただ一種の情報だけを含むことができる。例えば、アンテナ配列において、位相情報θのみを含んでも、マトリックス中の各要素の数値ｆ（θ）を算出することができる。
【００３４】
本実施例において、前記プレコードマトリックスのマトリックス要素とマトリックス索引を記憶して、マトリックス索引によりプレコードマトリックスのマトリックス要素を探し、且つプレコードマトリックスを算出することができる。
【００３５】
本実施例において、前記方法は、マクロセルユーザー機器がプレコードすることを指示して、プレコードにより形成された信号零空間がピコセルに向かうようにし、且つ／或いは信号のハイパワー方向又は特性値空間がマクロセルユーザー機器に向かうようにするサブフレーム情報を提供するステップをさらに含むことができる。且つ、前記サブフレーム情報を記憶するステップもさらに含むことができる。
【００３６】
この場合、bit値により指示を与えることができる。例えば、サブフレームが１〜１０である場合、各サブフレームにbit値を配置することができる。ある一個のサブフレームに対応するbit値が「１」である時、生成されたプレコードマトリックスによりダウンリンク制御チャンネルの信号をプレコードすることを示す。即ち、プレコードにより形成された信号零空間がピコセルに向かうようにし、且つ／或いは信号のハイパワー方向又は特性値空間がマクロセルユーザー機器に向かうようにする。また、ある一個のサブフレームに対応するbit値が「０」である時、生成されたプレコードマトリックスによりダウンリンク制御チャンネルの信号をプレコードせず、システムが配置した他の複数アンテナの処理方法を採用することを示す。例えば、ダイバーシティーを送信することによりプレコードを行うことである。表１は、サブフレームとbit値との間の対応関係を示す表である（サブフレーム情報）。
【表１】
0005780316.tif 000002
表１に示す通りサブフレーム情報を配置した後、前記マクロ基地局が制御対象であるマクロセルユーザー機器のダウンリンク制御チャンネルの信号をプレコードする前に、前記方法は以下のステップをさらに実行することができる。
【００３７】
サブフレーム情報により、前記サブフレームがダウンリンク制御チャンネルの信号をプレコードすることを決定し、且つプレコードにより形成された信号零空間がピコセルに向かうようにし、且つ／或いは信号のハイパワー方向又は特性値空間がマクロセルユーザー機器に向かうようにする。
【００３８】
決定結果がＹＥＳである場合、前記マクロ基地局が制御対象であるマクロセルユーザー機器のダウンリンク制御チャンネルの信号をプレコードし、プレコードにより形成された信号零空間がピコセルに向かうようにし、且つ／或いは信号のハイパワー方向又は特性値空間がマクロセルユーザー機器に向かうようにする。
【００３９】
本実施例において、マクロ基地局が実際に生成されたプレコードマトリックスにより、プレコードマトリックスを生成する時、少なくとも一個のマクロセルユーザー機器のプレコードマトリックスと他のマクロセルユーザー機器のプレコードマトリックスとが異なることができる。
【表２】
0005780316.tif 000003
【００４０】
表２に示す通り、マクロ基地局が生成したユーザー機器１及び５のプレコードマトリックスが同様であり、他のユーザー機器に対応するプレコードマトリックスが互いに異なる。この場合、プレコードマトリックスは、マトリックス索引で示し、基地局とユーザー機器には、前記マトリックス索引に対応するプレコードマトリックスのマトリックス要素情報が記憶されている。
【００４１】
本実施例において、一個のマクロセルユーザー機器は、様々な状況により、例えば、異なる位置又は異なるサブフレームにより、異なるプレコードマトリックスと対応し、一個のユーザーに対応する異なるサブフレームは、異なるプレコードマトリックスを採用する。
【００４２】
表３に示す通り、本実施例において、少なくとも一個のサブフレームに対応するプレコードマトリックスと他のサブフレームに対応するプレコードマトリックスとが異なる。
【表３】
0005780316.tif 000004
【００４３】
表３に示す通り、サブフレーム位置が５、１０であるサブフレームに対応するプレコードマトリックスのマトリックス索引が５であり、他のサブフレームに対応するプレコードマトリックスの索引が１である。
【００４４】
本実施例において、異なるユーザー機器に異なる情報を配置する。例えば、各ユーザー機器の位置が異なるため、少なくとも一個のマクロセルユーザー機器に対応する情報と他のユーザー機器に対応する情報とが異なる。即ち、表４−１〜表４−３に示す通り、サブフレーム情報とプレコードマトリックスなどの情報とが異なる。
【表４−１】
0005780316.tif 000005
【表４−２】
0005780316.tif 000006
【表４−３】
0005780316.tif 000007
【００４５】
表４−１に示す通り、ユーザー機器１において、サブフレーム番号が１０であり、プレコードマトリックス索引が５である。即ち、表示されるサブフレーム番号が１０である場合、ＰＤＣＣＨの信号をプレコードし、採用するマトリックスの索引番号が５である。表４−２に示す通り、ユーザー機器２において、サブフレーム番号が５であり、プレコードマトリックスの索引番号が２である。表４−３に示す通り、ユーザー機器３において、サブフレーム番号が１０であり、プレコードマトリックスの索引番号が８である。
【００４６】
本実施例において、マクロ基地局は、実際の需要に応じてＰＤＣＣＨ送信パワーと関する情報を配置することができる。例えば、各ステップのパワー値とパワー調節用ステップ情報を配置することができる。各ステップに対応するパワー値が２ｄＢだと仮定する場合、パワー調節用ステップ情報、即ちステップ索引「３」が６ｄＢを示す。前記パラメーターがパワー調節用値であることもできる。
【００４７】
前記マクロ基地局が需要に応じて配置する情報は、前記した一部分の情報のみを含むか、或いはすべての情報を含むことができる。例えば、サブフレーム情報、ＰＤＣＣＨ送信パワーと関する情報である。且つ、需要に応じて、ＰＤＣＣＨの受信機能を確保するための他の情報をさらに含むことができる。
【００４８】
本実施例において、前記マクロ基地局は、生成されたプレコードマトリックス、又はプレコードマトリックスと配置されている前記サブフレーム情報などに関する情報をマクロセルユーザー機器に通知することも決定することができる。
【００４９】
例えば、復調参照信号（ＤＭ−ＲＳ、demodulation  reference  signal）により復調するＰＤＣＣＨである場合、マクロ基地局は、前記プレコードマトリックス、サブフレーム情報、ＰＤＣＣＨ送信パワーと関する情報内の一部分又はすべての情報をマクロセルユーザー機器に通知する必要がない。前記情報は、マクロ基地局側でのみ用いる。この場合、マクロ基地局がＰＤＣＣＨの信号をプレコードすることに問わず、マクロセルユーザー機器がＰＤＣＣＨに対して盲検を行う。且つチャンネルを見積もった結果により、複数アンテナの復号を行う。
【００５０】
また、マクロ基地局は、前記情報をマクロセルユーザー機器に通知することもできる。この場合、マクロ基地局は、ＰＤＣＣＨの信号をプレコードして、アンテナにより形成された波束の零空間がピコセルに向かうようにし、且つ／或いはローブの方向がマクロセルユーザー機器に向かうようにする。且つ、マクロセルユーザー機器が前記ＰＤＣＣＨの信号を検出する場合、これにより獲得した情報により前記ＰＤＣＣＨ信号を復号する。
【００５１】
本実施例において、前記情報をユーザー機器に通知する必要がある場合、前記マクロ基地局は、生成されたプレコードマトリックス、又は配置されたサブフレーム情報などのような情報をユーザー機器に通知する。また、前記情報をハイレベル指令、例えば無線リソース制御（ＲＲＣ、Radio  Resource  Control）指令と一緒にマクロセルユーザー機器に通知することもできる。これにより、マクロセルユーザー機器が前記ＰＤＣＣＨの信号を検出する時、獲得した前記情報により前記ＰＤＣＣＨ信号を復号するようにする。
【００５２】
以下、マクロ基地局がハイレベル指令により前記情報を動的に配置（ダイナミックアロケーション）するとともに、ユーザー機器に通知することを例として説明する。
【００５３】
図２は、本発明の実施例１においてマクロ基地局側に相関する情報を配置する方法を示す流れ図である。図２に示す通り、前記方法は以下のステップを含む。
【００５４】
ステップ２０１において、マクロ基地局は、ピコセルのチャンネル情報により、或いは前記ピコセルのチャンネル情報及びマクロセルユーザー機器のチャンネル情報により、プレコードマトリックスを生成する。
【００５５】
プレコードマトリックスの生成方法として、現在の技術のうちいずれか一種の方法を用いるか、或いは本発明の実施例の前記方法を用いることができる。ここではこれについて再び説明しない。本実施例において、チャンネル情報に含まれている位置情報、又は位相情報によりレコードマトリックスを生成することができる。
【００５６】
ステップ２０２において、前記マクロ基地局は、少なくとも前記プレコードマトリックスの情報を含むハイレベル指令を生成する。
【００５７】
前記ハイレベル指令は、ＲＲＣ指令である。
【００５８】
前記情報は、前述した情報だけではなく、ＰＤＣＣＨ送信パワーをさらに含むことができる。
【００５９】
また、前記情報は、サブフレーム情報もさらに含むことができる。前記サブフレーム情報は、あるサブフレーム上においてＰＤＣＣＨの信号をプレコードしたことを示す。即ち、前記サブフレーム情報は、マクロセルユーザー機器に対してプレコードを行うかどうかを指示するサブフレーム情報である。
【００６０】
以下の表５に示す様々な情報において、前記マクロ基地局は、需要に応じて一部分の情報又はすべての情報を含むか、或いはＰＤＣＣＨの受信機能を確保するために他の情報をさらに含むこともできる。
【表５】
0005780316.tif 000008
【００６１】
ステップ２０３において、前記マクロ基地局は、前記ハイレベル指令を所定のマクロセルユーザー機器に送信して、ユーザー機器が前記ハイレベル指令中に含まれている情報を獲得するようにする。
【００６２】
前記マクロ基地局は、ＰＤＳＣＨにより前記ハイレベル指令をマクロセルユーザー機器に送信することができるが、本発明は、前記方法にのみ限定されるものではなく、他の方法によりハイレベル指令を送信してもよい。
【００６３】
本実施例において、前述した通り、前記ステップ２０３を省略してもよい。
【００６４】
本実施例において、表５に示す通り、前記マクロ基地局は、様々な指定方法により前記情報を指定することができる。以下、表５を参照しながら、例を挙げて説明する。
【００６５】
例１において、「プレコードマトリックスマトリックス」は、マトリックス索引方法より前記「プレコードマトリックスマトリックス」を指定することができる。前記指定方法を採用する場合、マクロ基地局側とマクロセルユーザー機器側とに、同様なマトリックス要素と前記マトリックス索引との間の対応関係を記憶すべきであり、且つ前記マクロ基地局側が前記マクロセルユーザー機器にマトリックス索引を送信することにより、所定の「プレコードマトリックスマトリックス」を指定する。
【００６６】
例２において、「プレコードマトリックスマトリックス」をマトリックス要素情報として採用することもできる。即ち、前記マトリックス要素情報を所定のマクロセルユーザー機器に送信して、前記ユーザー機器が前記マトリックス要素情報により所定のマトリックスを生成するようにする。
【００６７】
前記マトリックス要素情報は、マトリックスの各要素の数値を含むとともに、所定の情報を含むこともできる。例えば、アンテナ配列が含んでいる位相情報θにより、マトリックス中のすべての要素の数値ｆ（θ）を算出することができる。
【００６８】
例３において、「ＰＤＣＣＨ送信パワー」は、パワー調節用ステップ情報であるか、パワー調整用の数値であることができる。例えば、各ステップに対応するパワーが２ｄＢである場合、ステップ索引「３」が６ｄＢを示す。
【００６９】
例４において、「サブフレーム情報」は、サブフレームとビット値のビットマップ（bitmap）によりサブフレームを指定することができる。例えば、表１において、１０ビットにより１０個のサブフレームを示す。即ち、サブフレーム１〜サブフレーム１０を示す。例えば、ビット値が１である時、対応するサブフレームが「プレコードマトリックス」に基づいてＰＤＣＣＨの信号をプレコードする。本実施例においては、サブフレーム番号が１０であるサブフレームである。ビット値が０である時、対応するサブフレームが前記ハイレベル指令に基づいてＰＤＣＣＨの信号をプレコードせず、セルで統一的に配置された送信方法に基づいてＰＤＣＣＨの信号をプレコードする。例えば、ＬＴＥシステムにおいて、前記サブフレームのＰＤＣＣＨは、プレコードせず、ダイバーシティーを送信する。
【００７０】
前記実施例に記載されている通り、前記マクロ基地局（Macro  Cell  ｅＮＢ）は、ハイレベル、例えばＲＲＣ指令により、前記マクロ基地局がプレコードを行う時に需要する情報を配置する。前記情報は、プレコードマトリックスマトリックスを含み、且つ実際の状況により前記情報をハイレベル方法でマクロセルユーザー機器に通知することを決定することができる。前記マクロ基地局は、前記情報により制御対象であるマクロセルユーザー機器のダウンリンク制御チャンネル（ＰＤＣＣＨ）の信号をプレコードし、且つマクロセルユーザー機器は、前記情報の状況、又は前記情報の内容により、プレコード処理が行われたＰＤＣＣＨの信号を正確に復号する。
【００７１】
実施例２
以下、図面を参照しながら、本発明の第二実施に係る干渉協調方法を説明する。本実施例において、マクロ基地局がハイレベル指令により配置された所定の情報により、ＰＤＣＣＨの信号をプレコードする過程を例として詳細に説明する。
【００７２】
図３は、本発明の第２実施に係る干渉協調方法を示す流れ図である。図３に示す通り、本実施例の方法は、以下のステップを含む。
【００７３】
ステップ３０１において、マクロ基地局は、ピコセルのチャンネル情報により、或いは前記ピコセルのチャンネル情報及びマクロセルユーザー機器のチャンネル情報により、プレコードマトリックスを生成する。
【００７４】
前記マクロ基地局は、前記ピコセルの位置情報とマクロセルユーザー機器の位置情報により所定の情報を生成し、前記チャンネル情報は、位置情報と位相情報を含むことができる。前記情報の生成方法は、前記実施例１に記載されているので、ここでは再び説明しない。
【００７５】
ステップ３０２において、前記マクロ基地局は、少なくとも前記プレコードマトリックスの情報などを含むハイレベル指令を生成して、マクロセルユーザー機器が前記情報により検出されたＰＤＣＣＨを正確に復号するようにする。
【００７６】
前記情報は、前述した情報だけではなく、サブフレーム情報もさらに含むことができる。前記サブフレーム情報は、あるサブフレーム上においてＰＤＣＣＨの信号をプレコードしたことを示す。即ち、前記サブフレーム情報は、マクロセルユーザー機器に対してプレコードを行うかどうかを指示するサブフレーム情報である。
【００７７】
例えば、表４−１〜表４−３に示す通り、異なるユーザー機器に対応するマトリックスが互いに同様であるか或いは異なり、対応するサブフレームも同様であるか或いは異なる。
【００７８】
前記マクロ基地局は、需要に応じて、ＰＤＣＣＨの受信機能を確保するための他の情報をさらに含むことができる。
【００７９】
ステップ３０３において、前記マクロ基地局は、前記ハイレベル指令を所定のマクロセルユーザー機器に送信して、マクロセルユーザー機器が前記ハイレベル指令中に含まれている情報を獲得するようにする。
【００８０】
送信された情報は、表３に示す通りであり、マトリックスは、マトリックス索引により指定される。この場合、ピコセルは、前記マトリックス要素とマトリックス索引との間の対応関係をユーザー機器に送信するとともに、その対応関係を前記マクロ基地局とマクロセルユーザー機器側に記憶すべきである。
【００８１】
これにより、前記マクロ基地局は、前記ハイレベル指令により配置された前記情報により、ＰＤＣＣＨの信号に対して複数アンテナ処理を行うことができる。
【００８２】
ステップ３０４において、マクロ基地局がマクロセルの複数個のユーザー機器を制御する時、マクロ基地局は、マクロセルユーザー機器のダウンリンク制御チャンネルを制御する信号を生成する。
【００８３】
前記信号生成方法と従来の技術の信号生成方法とが類似する。前記マクロ基地局は、各ユーバーの送信モデルにより対応するダウンリンク制御情報ＤＣＩを生成し、且つ前記ＤＣＩに対して変調／コードと、多重スクランブリングを行う。
【００８４】
ステップ３０５において、前記マクロ基地局は、前記ステップ３０１〜３０２で配置したハイレベル指令により、制御対象であるマクロセルユーザー機器のダウンリンク制御チャンネルの信号をプレコードするかどうかを判断し、且つプレコードにより形成された信号零空間がピコセルに向かうようにし、且つ／或いは信号のハイパワー方向又は特性値空間がマクロセルユーザー機器に向かうようにする。判断結果がＹＥＳである場合、ステップ３０６を実行し、判断結果がＮＯである場合、ステップ３０７を実行する。
【００８５】
前記マクロ基地局は、表３の通りに配置したサブフレーム情報により判断をする。具体的には、以下のようなステップを含む。
【００８６】
現在のサブフレームがＰＤＣＣＨの信号をプレコードするサブフレームだと前記サブフレーム情報が判断する場合、前記マクロ基地局は、生成されたプレコードマトリックスにより、制御対象であるマクロセルユーザー機器のダウンリンク制御チャンネルの信号をプレコードする。即ち、プレコードにより形成された信号零空間がピコセルに向かうようにし、且つ／或いは信号のハイパワー方向又は特性値空間がマクロセルユーザー機器に向かうようにする。現在のサブフレームがＰＤＣＣＨの信号をプレコードするサブフレームではないと判断する場合、プレコードを行わず、システムが配置した複数アンテナ方法によりＰＤＣＣＨの信号にダイバーシティーを送信する。
【００８７】
表４−１に示す通り、マクロセルのユーザー機器１において、現在のサブフレーム番号が第５個サブフレームである場合、配置されたハイレベル指令によりＰＤＣＣＨの信号を処理せず、ステップ３０７を実行する。現在のサブフレーム番号が１０である場合、配置されたハイレベル指令によりＰＤＣＣＨの信号を処理し、ステップ３０６を実行する。
【００８８】
また、表４−２、表４−３に示す通り、現在のサブフレーム情報により、配置されたハイレベル指令によりＰＤＣＣＨの信号を処理するかどうかを判断することができる。ここではこれについて再び説明しない。
【００８９】
ステップ３０６において、ステップ３０５での判断結果がＹＥＳである場合、前記マクロ基地局は、生成されたプレコードマトリックスにより、ＰＤＣＣＨの信号をプレコードし、且つプレコードにより形成された信号零空間がピコセルに向かうようにし、且つ／或いは信号のハイパワー方向又は特性値空間がマクロセルユーザー機器に向かうようにする。
【００９０】
アンテナ配列を使用する場合、アンテナにより形成された波束の零空間がピコセルに向かうようにし、且つ／或いはローブの方向がマクロセルユーザー機器に向かうようにする。
【００９１】
表４−１のユーザー機器１において、マトリックス索引でマトリックスを示すことができる。例えば、マトリックス索引５を採用する場合、マクロ基地局は、マトリックス索引５に対応する所定のマトリックスを選び出すことができる。且つ、前記ユーザー機器１のＰＤＣＣＨの信号をプレコードして、プレコードにより形成された信号零空間がピコセルに向かうようにし、且つ／或いは信号のハイパワー方向又は特性値空間がマクロセルユーザー機器に向かうようにすることができる。
【００９２】
ステップ３０７において、ステップ３０５での判断結果がＮＯである場合、システムが配置した複数アンテナ方法によりＰＤＣＣＨの信号にダイバーシティーを送信する。
【００９３】
表４−１のユーザー機器１において、現在のサブフレーム番号が５である場合、システムが配置した複数アンテナ方法により前記ユーザー機器１のＰＤＣＣＨの信号にダイバーシティーを送信する。
【００９４】
前記実施例において、表４−１〜表４−３を例として説明をした。この場合、ＰＤＣＣＨの信号を処理する前に判断ステップ３０５を実行しなければならない。マクロ基地局がハイレベル指令により配置した情報が他の情報であり、すべてのユーザー機器に対してプレコードを行う場合、ステップ３０５とステップ３０７を省略することができる。前述した内容は、本発明の実施例にしか過ぎない。
【００９５】
前記実施例に記載されている通り、前記マクロ基地局（Macro  Cell  ｅＮＢ）は、ハイレベル、例えばＲＲＣ指令により、前記マクロ基地局がプレコードを行う時に需要する情報を配置し、且つ前記情報をマクロセルユーザー機器に通知する。これにより、前記マクロ基地局は、前記情報により制御対象であるマクロセルユーザー機器のダウンリンク制御チャンネル（ＰＤＣＣＨ）の信号をプレコードし、且つプレコードにより形成された信号零空間がピコセルに向かうようにし、且つ／或いは信号のハイパワー方向又は特性値空間がマクロセルユーザー機器に向かうようにする。従って、マクロ基地局のＰＤＣＣＨの信号がピコセルに与える干渉を削除し、基地局の機能が低下することを避け、且つ従来の技術が有している問題を解決することができる。或いは、マクロセルユーザー機器の受信機能を向上させるとともに、マクロセルがピコセルに与える干渉を削除することができる。
【００９６】
実施例３
本発明の実施例において干渉協調方法を提供する。図４に示す通り、前記方法は、以下のステップを含む。
【００９７】
ステップ４０１において、マクロセルユーザー機器はダウンリンク制御チャンネルの信号を検査する。マクロ基地局は、前記ダウンリンク制御チャンネルの信号をプレコードして、プレコードにより形成された信号零空間がピコセルに向かうようにし、且つ／或いは信号のハイパワー方向又は特性値空間がマクロセルユーザー機器に向かうようにする。
【００９８】
マクロセルユーザー機器は、各サブフレーム中のＰＤＣＣＨの信号を盲検する。
【００９９】
ステップ４０２において、前記マクロセルユーザー機器は、チャンネルを見積もった結果、又は予め獲得したプレコードマトリックスを含む情報により、前記信号を復号する。
【０１００】
本実施例の前記情報は、プレコードマトリックスを含むだけではなく、実施例１及び２に記載されている通り他の情報も含むことができる。ここではこれについて再び説明しない。
【０１０１】
本実施例の特殊な状況において、ユーザー機器が前記情報を検知せず、ただ前記情報により対応する復号を行うこともできる。例えば、実施例１に記載されている通りであるが、ここではこれについて再び説明しない。この場合、ステップ４０２において、前記マクロセルユーザー機器は、チャンネルを見積もった結果により複数アンテナを復号する。
【０１０２】
前記情報を使用する必要がある場合、前記マクロセルユーザー機器は、前記情報により前記ＰＤＣＣＨの信号を復号する。
【０１０３】
本発明の実施例において、ステップ４０２を実行した後、以下のステップをさらに実行することができる。
【０１０４】
前記マクロセルユーザー機器は、復号された前記信号に対してデスクラブリング、復調、チャンネル復号、ＣＲＣ照合を行って最終の情報を得る。前述した方法として、従来の技術のうちいずれか一種の方法を採用することができるので、ここでは再び説明しない。
【０１０５】
前記実施例に記載されている通り、マクロセルユーザー機器は、マクロ基地局が配置した情報によりＰＤＣＣＨの信号を正確に処理することができる。
【０１０６】
本実施例において、前記マクロセルユーザー機器が盲検を行う前、以下のようなステップをさらに実行することができる。即ち、マクロ基地局からの情報を受信するとともに、前記情報を記憶するステップである。前記情報の内容は、実施例２に記載されている通りであるので、ここでは再び説明しない。
【０１０７】
表１に示す通り、前記情報がサブフレーム情報を含む場合、ステップ４０２は以下のステップをさらに含む。即ち、前記マクロ基地局が配置したマトリックスが前記ダウンリンク制御チャンネルの信号を復号するかどうかを決定するステップである。このステップにおいて、表１に示す通り、現在のサブフレームは、マクロ基地局がハイレベル指令により配置したマトリックスをプレコードすることに対応するサブフレームだと、マクロセルユーザー機器が判断する場合、前記マクロセルユーザー機器は、マクロ基地局が配置したマトリックスによりＰＤＣＣＨの信号をプレコードする。さもないと、システムが配置した複数アンテナ方法によりＰＤＣＣＨの信号に対して複数アンテナの復号をする。
【０１０８】
実施例４
以下、図５と、表１及び２の情報によりマクロセルユーザー機器ＵＥがＰＤＣＣＨを受信する流れを説明する。即ち、ユーザー機器がマクロ基地局により配置された情報を利用することを例として説明する。
【０１０９】
本発明の実施例において干渉協調方法を提供する。図５に示す通り、前記方法は、以下のステップを含む。
【０１１０】
ステップ５０１において、マクロセルユーザー機器は、マクロ基地局が送信した情報を受信するとともに、前記情報を記憶する。
【０１１１】
前記情報を配置する過程は、実施例１及び２に記載されている通りであるので、ここでは再び説明しない。本実施例において、例えば、表１〜表５の通り情報を配置することができる。
【０１１２】
ステップ５０２において、マクロセルユーザー機器は、各サブフレームにおいてＰＤＣＣＨの信号を盲検する。
【０１１３】
ステップ５０３において、現在のサブフレームは、マクロ基地局がハイレベル指令により配置されたマトリックスをプレコードするサブフレームであるかどうかを判断する。判断結果がＹＥＳである場合、ステップ５０４を実行し、判断結果がＮＯである場合、ステップ５０７を実行する。
【０１１４】
ステップ５０４において、マクロセルユーザー機器は、前記マクロ基地局から受信した情報中のプレコードマトリックスにより前記信号を復号する。
【０１１５】
ステップ５０５において、復号した信号をデスクラブリング、チャンネル復号する。
【０１１６】
ステップ５０６において、チャンネル復号した信号をＣＲＣ照合して、前記ダウンリンク制御情報を得る。
【０１１７】
ステップ５０７において、ステップ５０３での判断結果がＮＯである場合、前記マクロ基地局は、システムが配置した複数アンテナ方法によりＰＤＣＣＨの信号に対して複数アンテナ復号を行う。
【０１１８】
次に、ステップ５０８〜５０９を実行する。即ち、復号した信号をデスクラブリング、復調、チャンネル復号、ＣＲＣ照合して最終的なダウンリンク制御情報を得る。
【０１１９】
本実施例において、ステップ５０８〜５０９の処理過程と、ステップ５０５〜５０６の処理過程とが類似し、且つ従来の技術のうちいずれか一種の方法を採用することができるので、ここでは再び説明しない。
【０１２０】
前記実施例に記載されている通り、前記マクロ基地局（Macro  Cell  ｅＮＢ）は、ハイレベル、例えばＲＲＣ指令により、前記マクロ基地局がプレコードを行う時に需要する情報を配置し、且つ前記情報をマクロセルユーザー機器に通知する。これにより、前記マクロ基地局は、前記情報により制御対象であるマクロセルユーザー機器のダウンリンク制御チャンネル（ＰＤＣＣＨ）の信号をプレコードし、且つプレコードにより形成された信号零空間がピコセルに向かうようにし、且つ／或いは信号のハイパワー方向又は特性値空間がマクロセルユーザー機器に向かうようにする。従って、マクロセルユーザー機器は、マクロ基地局が配置した前記情報により検出したＰＤＣＣＨの信号を正確に処理することができる。
【０１２１】
本発明の実施例においては、以下の実施例４〜６に記載されているマクロ基地局とユーザー機器をさらに提供する。実施例４〜６のマクロ基地局とユーザー機器が問題を解決する原理と、前記実施例１〜３のマクロ基地局とユーザー機器の干渉協調方法とが類似し、且つ実施例４〜６のマクロ基地局とユーザー機器の実施方法として、実施例１〜３の干渉協調方法を参照することができるので、ここで再び説明しない。
【０１２２】
実施例５
本発明の実施例においてマクロ基地局を提供する。図６に示す通り、前記基地局は、第一信号処理ユニット６０１と、アンテナユニット６０２を含む。
【０１２３】
前記第一信号処理ユニット６０１は、予め獲得したプレコードマトリックスにより、制御対象であるマクロセルユーザー機器のダウンリンク制御チャンネルの信号をプレコードする。
【０１２４】
前記アンテナユニット６０２は、プレコードされた信号を送信する。即ち、プレコードにより形成された信号零空間がピコセルに向かうようにし、且つ／或いは信号のハイパワー方向又は特性値空間がマクロセルユーザー機器に向かうようにする。
【０１２５】
前記アンテナユニット６０２は、関連性が高い自己適応性アンテナ配列であるか、或いは関連性が低いポラリゼーションアンテナである。
【０１２６】
前記実施例に記載されている通り、前記マクロ基地局は、予め獲得したプレコードマトリックスを利用して、制御対象であるマクロセルユーザー機器のダウンリンク制御チャンネル（ＰＤＣＣＨ）の信号をプレコードし、且つプレコードにより形成された信号零空間がピコセルに向かうようにし、且つ／或いは信号のハイパワー方向又は特性値空間がマクロセルユーザー機器に向かうようにする。従って、マクロセルがピコセルに与える干渉を削除し、マクロセルにも影響を与えない。且つユーザー機器の受信機能を向上させることができる。
【０１２７】
前記マクロ基地局は、制御情報生成ユニット（図示せず）をさらに含むことができる。前記制御情報生成ユニットは、制御対象であるマクロセルユーザー機器のダウンリンク制御チャンネルの信号を生成する。ＰＤＣＣＨ信号の生成過程と、実施例２中のステップ３０３の内容とが類似するので、ここではこれについて再び説明しない。第一信号処理ユニット６０１は、前記制御情報生成ユニットが生成したＰＤＣＣＨの信号をプレコードすることができる。即ち、前記ＰＤＣＣＨの信号にプレコードマトリックスを乗じて得た結果を、アンテナユニット６０２により送信し、且つプレコードにより形成された信号零空間がピコセルに向かうようにし、且つ／或いは信号のハイパワー方向又は特性値空間がマクロセルユーザー機器に向かうようにする。
【０１２８】
前記実施例に記載されている通り、前記プレコード処理により、信号零空間がピコセルに向かうようにすることができるので、マクロセル（Macro  Cell）の物理的ダウンリンク制御チャンネルＰＤＣＣＨがピコセルPico  Cellに与える干渉を削除し、マクロセルの性能にも影響を与えず、且つ従来の技術の問題を解決することができる。また、前記プレコード処理により、信号のハイパワー方向がマクロセルユーザー機器に向かうようにして、マクロセルユーザー機器の受信機能をさらに向上させるとともに、マクロセルからの干渉をさらに減少させることができる。
【０１２９】
実施例６
本発明の本実施例のマクロ基地局は、前記実施例５に基づいて、プレコードマトリックスをさらに生成するとともに、前記マクロ基地局が使用するようにサブフレーム情報を含む様々な情報を配置することができる。ユーザー機器も前記情報を使用する場合、ハイレベル指令、例えばＲＲＣ指令により前記情報をマクロセルユーザー機器に通知することもできる。前記マクロ基地局は、前記情報により制御対象であるマクロセルユーザー機器のダウンリンク制御チャンネル（ＰＤＣＣＨ）の信号をプレコードし、且つ前記マクロセルユーザー機器は、前記情報によりプレコードされたＰＤＣＣＨの信号を正確に復号することができる。
【０１３０】
従って、図７に示す通り、本実施例の前記マクロ基地局は、制御情報生成ユニット７０１と、第一信号処理ユニット７０２と、アンテナユニット７０３と含む。各ユニットの作用と実施例４の各ユニットの作用とが類似するので、ここでは再び説明しない。
【０１３１】
本実施例のマクロ基地局は、マトリックス生成ユニット７０４と、記憶ユニット７０５とをさらに含む。
【０１３２】
前記マトリックス生成ユニット７０４は、前記ピコセルのチャンネル情報により、或いは前記ピコセルのチャンネル情報及びマクロセルユーザー機器のチャンネル情報により、プレコードマトリックスを生成する。本実施例のプレコードマトリックスの生成過程と実施例１の生成過程と類似するので、ここでは再び説明しない。
【０１３３】
前記記憶ユニット７０５は、前記プレコードマトリックスのマトリックス要素情報、又は前記プレコードマトリックスのマトリックス要素情報とマトリックス索引を記憶する。
【０１３４】
前記マクロ基地局は、前記マクロセルユーザー機器がプレコードすることを指示し、且つプレコードにより形成された信号零空間がピコセルに向かうようにし、且つ／或いは信号のハイパワー方向又は特性値空間がマクロセルユーザー機器に向かうようにするサブフレーム情報をさらに配置することができる。この場合、前記マクロ基地局は、情報配置ユニット７０６と第一決定ユニット７０７をさらに含む。
【０１３５】
前記情報配置ユニット７０６は、マクロセルユーザー機器がプレコードすることを指示し、且つプレコードにより形成された信号零空間がピコセルに向かうようにし、且つ／或いは信号のハイパワー方向又は特性値空間がマクロセルユーザー機器に向かうようにするサブフレーム情報をさらに配置する。前記記憶ユニット７０５がサブフレーム情報を記憶することもできる。
【０１３６】
前記第一決定ユニット７０７は、マクロ基地局が制御対象であるマクロセルユーザー機器のダウンリンク制御チャンネルの信号を第一信号処理ユニット７０２がプレコードする前、前記サブフレーム情報により現在のサブフレームがダウンリンク制御チャンネルの信号をプレコードすることを決定し、且つプレコードにより形成された信号零空間がピコセルに向かうようにし、且つ／或いは信号のハイパワー方向又は特性値空間がマクロセルユーザー機器に向かうようにする。
【０１３７】
前記第一信号処理ユニット７０２は、前記第一決定ユニット７０７による決定結果がＹＥＳである場合、制御対象であるマクロセルユーザー機器のダウンリンク制御チャンネルの信号をプレコードして、プレコードにより形成された信号零空間がピコセルに向かうようにし、且つ／或いは信号のハイパワー方向又は特性値空間がマクロセルユーザー機器に向かうようにする。
【０１３８】
本実施例のマクロ基地局は、前記サブフレーム情報を配置するだけではなく、実施例１〜４に記載した通り他の情報をさらに配置することができるが、ここでは再び説明しない。
【０１３９】
本実施例において、必要がある場合、実施例１に記載されている通り、前記マクロ基地局が配置した前記情報と生成されたプレコードマトリックスを、ハイレベル制御指令によりマクロセルユーザー機器に通知することができる。しかし、前記ハイレベル制御指令に限定されるものではなく、他の指令により通知することができる。
【０１４０】
図７に示す通り、前記マクロ基地局は、前記情報をマクロセルユーザー機器に送信する情報通知ユニット７０８をさらに含むことができる。この場合、第一信号処理ユニット７０２は、前記情報により制御情報生成ユニット７０１が生成した信号をプレコードする。
【０１４１】
本実施例のマクロ基地局が問題を解決する原理と実施例１及び２の原理とが類似するので、ここでは再び説明しない。
【０１４２】
実施例７
本発明の実施例において、ユーザー機器を提供する。図８に示す通り、前記ユーザー機器は、以下のユニットを含む。
【０１４３】
信号検出ユニット８０１は、ダウンリンク制御チャンネルの信号を検出する。マクロ基地局は、前記ダウンリンク制御チャンネルの信号をプレコードして、プレコードにより形成された信号零空間がピコセルに向かうようにし、且つ／或いは信号のハイパワー方向又は特性値空間がマクロセルユーザー機器に向かうようにする。
【０１４４】
第二信号処理ユニット８０２は、チャンネルの見積もり結果、又は予め獲得したプレコードマトリックスを含む様々な情報により、前記信号検出ユニットが検出した信号を復号する。
【０１４５】
本実施例のユーザー機器は、信号処理ユニット（図示せず）さらに含むことができる。前記信号処理ユニットは、復号された信号を処理する。即ち、デスクラブリング、チャンネル復号、ＣＲＣ照合して最終的なダウンリンク制御情報を得る。
【０１４６】
本実施例において、マクロ基地局は、マクロセルユーザー機器がＰＤＣＣＨを復調する方法により、生成されたプレコードマトリックス、又はプレコードマトリックスと配置された前記サブフレーム情報などのような情報をマクロセルユーザー機器に送信するかどうかを決定する。
【０１４７】
例えば、復調参照信号（ＤＭ−ＲＳ、demodulation  reference  signal）により復調されたＰＤＣＣＨである場合、マクロ基地局は、前記プレコードマトリックス、サブフレーム情報、ＰＤＣＣＨ送信パワーと関する情報内の一部分又はすべての情報をマクロセルユーザー機器に通知する必要がない。前記情報は、マクロ基地局側でのみ用いる。この場合、マクロ基地局がＰＤＣＣＨの信号をプレコードすることに問わず、マクロセルユーザー機器がＰＤＣＣＨに対して盲検を行う。且つチャンネルの見積もり結果により、複数アンテナの復号を行う。
【０１４８】
前記場合の以外においては、マクロ基地局は、前記情報を前記マクロセルユーザー機器に送信する。この場合、マクロ基地局がＰＤＣＣＨの信号をプレコードして、プレコードにより形成された信号零空間がピコセルに向かうようにし、且つ／或いは信号のハイパワー方向又は特性値空間がマクロセルユーザー機器に向かうようにする。マクロセルユーザー機器がＰＤＣＣＨの信号を検出する場合、受信した前記情報によりＰＤＣＣＨの信号を復号する。
【０１４９】
本実施例において、ユーザー機器が前記情報を通知しなければならない場合、前記マクロ基地局は、プレコードマトリックスをそれぞれ生成するか、或いは配置されたサブフレーム情報などのような情報をユーザー機器に通知する。また、前記情報をハイレベル指令、例えば無線リソース制御（ＲＲＣ、Radio  Resource  Control）指令と一緒にマクロセルユーザー機器に通知することもできる。従って、前記マクロセルユーザー機器が前記ＰＤＣＣＨの信号を検出する時、獲得した前記情報により前記ＰＤＣＣＨ信号を正確に復号するようにする。
【０１５０】
図８に示す通り、本実施例の前記ユーザー機器は、前記マクロ基地局に通知される前記情報を受信する情報受信ユニット８０３をさらに含むことができる。前記情報の内容と実施例２に記載されている内容とが類似するので、ここでは再び説明しない。
【０１５１】
前記ユーザー機器は、記憶ユニット８０４をさらに含むことができる。前記記憶ユニットは、受信した前記情報を記憶するとともに、前記情報を第二信号処理ユニット８０２に提供する。
【０１５２】
本実施例において、表１又は表３に示す通り、前記情報がサブフレーム情報を含む場合、第二信号処理ユニット８０２は、検出した信号を復号する前、前記サブフレームとサブフレーム情報により、検出した信号をマクロ基地局が配置したハイレベル指令により復号するかどうかを判断する。具体的な判断方法は、前記通りであるので、ここでは再び説明しない。前記ユーザー機器は、第二決定ユニット（図示せず）をさらに含むことができる。前記第二決定ユニットは、検出したＰＤＣＣＨの信号をマクロ基地局が配置したハイレベル指令により復号するかどうかを決定する。
【０１５３】
本実施例の前記ユーザー機器が問題を解決する原理と実施例３の原理とが類似するので、ここではこれについて再び説明しない。
【０１５４】
本実施例の前記ユーザー機器は、携帯電話に限定されるものではなく、適用する様々な電子設備であることができる。例えば、メディアプレーヤー、ゲーム設備、ノートパソコン又はデスクトップパソコン、ポケットベル、通信装置、携帯情報端末（ＰＤＡ）、スマートフォンなどのような、データを発信するとともに、送信したデータをフィードバックするすべての設備であることができる。
【０１５５】
本実施例において、前記マクロ基地局（Macro  Cell  ｅＮＢ）は、ハイレベル、例えばＲＲＣ指令により、前記マクロ基地局がプレコードを行う時に需要する情報を配置し、且つ前記情報をマクロセルユーザー機器に通知する。これにより、前記マクロ基地局は、前記情報により制御対象であるマクロセルユーザー機器のダウンリンク制御チャンネル（ＰＤＣＣＨ）の信号をプレコードし、且つプレコードにより形成された信号零空間がピコセルに向かうようにする。従って、マクロセル（Macro  Cell）の物理的ダウンリンク制御チャンネルＰＤＣＣＨがピコセル（Pico  Cell）に与える干渉を減少、又は削除することができる。また、信号の特性値空間がマクロセルユーザー機器に向かうようにして、マクロセルユーザー機器の受信機能をさらに向上させるとともに、干渉を協調することができる。且つ、マクロセルユーザー機器は、マクロ基地局が配置した情報により、検出したＰＤＣＣＨの信号を正確に処理することができる。
【０１５６】
本発明の実施例において、コンピュータ読取可能なプログラムをさらに提供する。マクロ基地局が前記プログラムを実行する時、前記プログラムは、前記マクロ基地局が実施例１又は２に記載されている干渉協調方法を実施するようにする。
【０１５７】
本発明の実施例において、コンピュータ読取可能なプログラムが記憶されている記憶媒体をさらに提供する。前記コンピュータ読取可能なプログラムは、コンピュータがマクロ基地局において実施例１又は２に記載されている干渉協調方法を実施するようにする。
【０１５８】
本発明の実施例において、コンピュータ読取可能なプログラムをさらに提供する。ユーザー機器が前記プログラムを実行する時、前記プログラムは、コンピュータがユーザー機器において、実施例３又は４に記載されている干渉協調方法を実施するようにする。
【０１５９】
本発明の実施例において、コンピュータ読取可能なプログラムが記憶されている記憶媒体をさらに提供する。前記コンピュータ読取可能なプログラムは、コンピュータがユーザー機器において、実施例３又は４に記載されている干渉協調方法を実施するようにする。
【０１６０】
前述した本発明の装置及び方法は、ハードウェアにより実現するか、ハードウェアとソフトウェアの組合せにより実現することができる。本発明は、以下のようなコンピュータ読取可能なプログラムに関する。即ち、ロジック部品が前記プログラムを実行する時、前記プログラムは、前記ロジック部品が前述した装置又は構成部品を作動させるか、或いは前記ロジック部品が前述した方法又はステップを実現するようにする。本発明に係る前記プログラムを記憶する記憶媒体は、例えばハードディスク、磁気ディスク、コンパクトディスク、ＤＶＤ、ｆｌａｓｈ記憶媒体である。
【０１６１】
以上、これらの発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【符号の説明】
【０１６２】
６０１  第一信号処理ユニット
６０２  アンテナユニット
７０１  制御情報生成ユニット
７０２  第一信号処理ユニット
７０３  アンテナユニット
７０４  マトリックス生成ユニット
７０５  記憶ユニット
７０６  情報配置ユニット
７０７  第一決定ユニット
７０８  情報通知ユニット
８０１  信号検出ユニット
８０２  第二信号処理ユニット
８０３  情報受信ユニット
８０４  記憶ユニット
【図１】
0005780316.tif 000009
【図２】
0005780316.tif 000010
【図３】
0005780316.tif 000011
【図４】
0005780316.tif 000012
【図５】
0005780316.tif 000013
【図６】
0005780316.tif 000014
【図７】
0005780316.tif 000015
【図８】
0005780316.tif 000016